(57)【要約】  少なくとも１つの導体を有するコアと、コアを取り囲む誘電体バリア層と、コアを取り囲む導電性シールドとを備えるケーブル。誘電体バリア層は、実質的に不燃性の材料で形成され、フッ素重合体を欠いている。
2015506541.tif 000002
【特許請求の範囲】
【請求項１】
少なくとも１つの導体を有するコアと、
前記コアを取り囲む誘電体バリア層であって、実質的に不燃性の材料で形成され、フッ素重合体を欠いている、誘電体バリア層と、
前記誘電体バリア層を取り囲む導電性シールドと、
を備えることを特徴とするケーブル。
【請求項２】
前記実質的に不燃性の材料は、低発煙でもありゼロハロゲンでもある材料であることを特徴とする請求項１に記載のケーブル。
【請求項３】
前記コアは、複数の絶縁導体ツイストペアを含むことを特徴とする請求項１に記載のケーブル。
【請求項４】
前記複数の絶縁導体ツイストペアを分離するセパレータ
をさらに備え、
前記誘電体バリア層が、前記セパレータを取り囲むことを特徴とする請求項１に記載のケーブル。
【請求項５】
前記誘電体バリア層は、テープであることを特徴とする請求項１に記載のケーブル。
【請求項６】
前記テープは、ファイバーグラスで形成されることを特徴とする請求項５に記載のケーブル。
【請求項７】
前記ファイバーグラスは、織られているまたは刻まれていることを特徴とする請求項６に記載のケーブル。
【請求項８】
前記誘電体バリア層は、難燃性材料の被覆物を含むことを特徴とする請求項１に記載のケーブル。
【請求項９】
前記被覆物は、低発煙、ゼロハロゲンの材料で形成されることを特徴とする請求項８に記載のケーブル。
【請求項１０】
前記導電性シールドを取り囲む外側ジャケットをさらに含むことを特徴とする請求項１に記載のケーブル。
【請求項１１】
導体の複数のツイストペアおよび導体の前記複数のツイストペアを分離するセパレータを含むコアと、
前記コアを取り囲む誘電体バリア層であって、実質的に不燃性で、低発煙、ゼロハロゲンの材料で形成され、フッ素重合体を欠いている、誘電体バリア層と、
前記誘電体バリア層を取り囲む導電性シールドと、
前記導電性シールドを取り囲む外側ジャケットと、
を備えることを特徴とするケーブル。
【請求項１２】
前記実質的に不燃性で、低発煙、ゼロハロゲンの材料は、ファイバーグラス、一緒に束ねた個別のガラス繊維、ファイバーグラスの糸、ファイバーグラスのロービング、刻んだファイバーグラス、織ったファイバーグラスのテープ、玄武岩の繊維、糸、織ったテープ、高温セラミック酸化物の繊維、糸、織ったテープ、およびセラミックマイカテープのうちの１つであることを特徴とする請求項１１に記載のケーブル。
【請求項１３】
前記実質的に不燃性で、低発煙、ゼロハロゲンの材料は、より合わされる、織られるまたは刻まれるファイバーグラスであることを特徴とする請求項１１に記載のケーブル。
【請求項１４】
前記誘電体バリア層は、難燃性材料の被覆物を含むことを特徴とする請求項１１に記載のケーブル。
【請求項１５】
前記被覆物は、低発煙、ゼロハロゲンの材料で形成されることを特徴とする請求項１４に記載のケーブル。
【発明の詳細な説明】
【技術分野】
【０００１】
関連出願      
本出願は、２０１１年１２月２１日に出願された米国特許仮出願第６１／５７８，６１４号に対する優先権を３５Ｕ．Ｓ．Ｃ．§１１９の下で主張するものである。本出願は、その主題が参照により本明細書に組み込まれる、２０１２年１２月６日に出願された、「Ｃａｂｌｅ  Ｗｉｔｈ  Ｎｏｎ−Ｆｌａｍｍａｂｌｅ  Ｃｏｍｐｏｎｅｎｔ」と題する、共同所有で現在係属中の米国特許出願第１３／７０７，０７７号に関するものであり得る。
【０００２】
本発明は、実質的に不燃性の材料で形成されるバリア層を有するケーブルに関する。より詳細には、不燃性材料のバリア層は、ケーブルのシールドとコアとの間に設けられる。
【背景技術】
【０００３】
ライザーとプレナムの両方の用途向けの従来の通信ケーブルは、通常、一緒に束ねられまたはペアに一緒にねじられ、外側ジャケットによって取り囲まれるいくつかの絶縁導体を含む。クロストークまたは干渉は、ケーブル内の導体間またはケーブル中の他の構成要素間の電磁結合のためにしばしば起こり、それによってケーブルの電気的性能を低下させる。
【０００４】
バリアは、導体のペアを孤立させるために、特にプレナム用途でしばしば使用され、それによって干渉を低減する。そのようなバリアは通常、プレナムケーブルの場合にはＮＦＰＡ２６２の要件などの業界標準を満たすためにポリエステル（ＰＥＴ）またはＦＥＰのようなフッ素重合体でできている。しかしながら、ポリエステルのような材料は、通常、過度に煙を出し、そのことが、シールドからの分離量を制限する。ＦＥＰのようなフッ素重合体は、燃焼室中で滴り落ちる傾向がある。これらの材料が、滴り落ちて、燃焼室の床面に当たると、それらは、煙を出す。そのような発煙は、特にプレナム用途では望ましくなく、業界要件を満たすことをより困難にする。その上、フッ素重合体は、通常、ハロゲン化されており、燃やされると有害なハロゲンを放出する。また、フッ素重合体は、通常、材料費および高需要に起因してより高価でもある。
【発明の概要】
【発明が解決しようとする課題】
【０００５】
したがって、業界標準の燃焼要件を満たし、より低毒性であり、溶融することがより少なく、より安価であるケーブルバリアの必要性が存在する。
【課題を解決するための手段】
【０００６】
それに応じて、本発明は、少なくとも１つの導体を有するコアと、コアを取り囲む誘電体バリア層と、コアを取り囲む導電性シールドとを備えるケーブルを提供する。誘電体バリア層は、実質的に不燃性の材料で形成され、フッ素重合体を欠いている。
【０００７】
本発明はまた、導体の複数のツイストペアおよび導体の複数のツイストペアを分離するセパレータを含むコアを備えるケーブルを提供することもできる。誘電体バリア層は、コアを取り囲み、実質的に不燃性で、低発煙、ゼロハロゲンの材料で形成され、フッ素重合体を欠いている。導電性シールドは、誘電体バリア層を取り囲み、外側ジャケットは、導電性シールドを取り囲む。
【０００８】
本発明の他の目的、利点および顕著な特徴は、付属の図面と併せて本発明の好ましい実施形態を開示する次の詳細な説明から明らかになろう。
【０００９】
本発明のより完全な理解およびそれの付随する利点の多くは、添付の図に関連して考察するとき同じことが次の詳細な説明を参照することによってより良く理解されることになるので容易に得られることになる。
【図面の簡単な説明】
【００１０】
【図１】本発明の例となる実施形態によるケーブルの横断面図である。
【発明を実施するための形態】
【００１１】
図１を参照すると、本発明は、ケーブル１０に関し、このケーブル１０は、実質的に不燃性のバリア層２０を組み込んでいるので、改善された電気的性能を有する。バリア層２０は、ケーブル１０の導体３２のコア３０を取り囲み、コア３０をケーブルの導電性シールド４０から分離する。導体３２は、図１で見られるように、ペアにねじられ、セパレータ構成要素５０によって分離されてもよい。セパレータ構成要素５０は、所望の分離特性を成し遂げる任意の形状で形成されてもよい。シールド４０は、連続的に伝導性であるかまたは導電性セグメントから成る不連続層の任意の従来のシールド層であってもよい。外側ジャケット６０は、コア３０、バリア層２０およびシールド４０を取り囲んでもよい。外側ジャケット６０は、ＰＶＣなど、任意の従来の絶縁材で形成されてもよい。
【００１２】
バリア層２０は、好ましくは実質的に不燃性である材料、より好ましくは燃やされたときにケーブルの毒性を低減するために低発煙でかつゼロハロゲン（ＬＳＺＨ）である材料で形成される。ゼロハロゲンは、ゼロハロゲン材料について適用可能な業界標準によって規定されるように、材料がハロゲン化されていないことおよび／またはハロゲンの全偶発的痕跡が百万分の一程度であることを意味する。
【００１３】
バリア層２０の例となる不燃性材料は、ファイバーグラス、一緒に束ねた個別のガラス繊維、ファイバーグラスの糸、ファイバーグラスのストランド、ファイバーグラスのロービング、刻んだファイバーグラス、および織ったファイバーグラスのテープまたはシートなどを含む。それらの材料は、バリア層もまた柔軟性を維持することを可能にしながら最適燃焼特性を有するので、望ましい。玄武岩の繊維、糸、織ったテープ、高温セラミック酸化物の繊維、糸および織ったテープ、ならびに他のセラミックマイカテープなど、他の適切な不燃性材料がまた、用いられてもよい。それらの材料は、ケーブル用途でのそれらの高温性能のために望ましい。バリア層２０は、バリア層２０およびケーブル１０の燃焼性能をさらに支援するために、好ましくはＬＳＺＨである難燃性材料で被覆されてもよい。
【００１４】
加えて、バリア層２０は好ましくは、実質的にどんなフッ素重合体も欠いており、それによって燃焼室中で滴り落ちて煙を出すバリア層中の材料を大幅に低減する。そのことが、例えばＮＦＰＡ２６２によるプレナムケーブル燃焼試験での発煙性能を改善する。
【００１５】
本発明は、例えば適切な誘電率を有する無機ファイバーグラスのテープなどの不燃性バリア層によってケーブルコア３０がシールド４０から分離されることを可能にする。そのことが、コア３０中の導体３２のツイストペアとシールド４０との間に間隔を提供するとともにコア３０とシールド４０との間に誘電体バリアも提供することによってケーブル１０の減衰性能を改善するのに役立つ。加えて、本発明はまた、溶融しないまたは滴り落ちないファイバーグラス材料と比較して滴り落ちて煙を出すフッ素重合体をケーブル構造から除去することによってケーブルの燃焼および発煙性能を改善するのにも役立つ。さらに、ハロゲン化材料は好ましくは、ケーブルから除去され、そのことが、ケーブルの毒性を低減する。
【００１６】
特定の実施形態が、本発明を例示するために選択されたが、様々な変形および変更が、添付の特許請求の範囲で規定されるような本発明の範囲から逸脱することなくその中でなされてもよいことは、当業者には理解されよう。
【符号の説明】
【００１７】
１０  ケーブル
２０  バリア層
３０  コア
３２  導体
４０  シールド
５０  セパレータ構成要素
６０  外側ジャケット
【図１】
2015506541.tif 000003
【国際調査報告】
2015506541.tif 000004
2015506541.tif 000005